(57)【要約】【課題】吐水部から吐水される洗浄水の飛散を抑制することができる水洗大便器を提供する。【解決手段】実施形態に係る水洗大便器は、主導水路と、屈曲導水路と、リム導水路と、滞留部とを備える。主導水路は、給水源から供給される洗浄水を流通させる。屈曲導水路は、主導水路から供給される洗浄水の流れ方向を屈曲させる。リム導水路は、屈曲導水路から供給される洗浄水をボウル部へ向けて開口された吐水部へ流通させて吐水させる。滞留部は、少なくとも屈曲導水路に形成されるとともに、上方が開口された凹状に形成され、主導水路から供給される洗浄水の一部を滞留させる。また、滞留部は、下流側の上端部が吐水部の底面と水平または吐水部の底面よりも高くなるように形成される。【選択図】図３
2018112005.tif 000002
【特許請求の範囲】
【請求項１】
給水源から供給される洗浄水を流通させる主導水路と、
前記主導水路から供給される洗浄水の流れ方向を屈曲させる屈曲導水路と、
前記屈曲導水路から供給される洗浄水をボウル部へ向けて開口された吐水部へ流通させて吐水させるリム導水路と、
少なくとも前記屈曲導水路に形成されるとともに、上方が開口された凹状に形成され、前記主導水路から供給される洗浄水の一部を滞留させる滞留部と
を備え、
前記滞留部は、
下流側の上端部が前記吐水部の底面と水平または前記吐水部の底面よりも高くなるように形成されること
を特徴とする水洗大便器。
【請求項２】
前記リム導水路は、
前記屈曲導水路から供給された洗浄水を、流れ方向を屈曲させて前記ボウル部の後方部へ向けて前記吐水部から吐水させること
を特徴とする請求項１に記載の水洗大便器。
【請求項３】
前記屈曲導水路は、
前記主導水路から供給される洗浄水の流れ方向を異なる複数の方向に屈曲させること
を特徴とする請求項１または２に記載の水洗大便器。
【請求項４】
前記滞留部は、
底面から前記下流側の上端部に向けて上り傾斜となる傾斜面
を備えることを特徴とする請求項１〜３のいずれか一つに記載の水洗大便器。
【請求項５】
前記滞留部は、
前記下流側の上端部が前記リム導水路内に位置するように形成されること
を特徴とする請求項１〜４のいずれか一つに記載の水洗大便器。
【請求項６】
前記リム導水路は、
前記屈曲導水路から供給される洗浄水の入口部が、前記滞留部に滞留している洗浄水の水面よりも下方に位置するように形成されること
を特徴とする請求項１〜５のいずれか一つに記載の水洗大便器。
【請求項７】
前記主導水路は、
底面が上流側から下流側に向けて下り傾斜となるように形成されること
を特徴とする請求項１〜６のいずれか一つに記載の水洗大便器。
【発明の詳細な説明】
【技術分野】
【０００１】
開示の実施形態は、水洗大便器に関する。
【背景技術】
【０００２】
従来、便器本体のボウル部の上縁に形成されたリム部から洗浄水を吐水し、ボウル部で旋回流を生じさせることで、ボウル部の洗浄を行う水洗大便器が知られている（例えば特許文献１参照）。
【０００３】
具体的には、水洗大便器において、洗浄水は先ず、貯水タンクなどの給水源から貯水タンク下方に形成された主導水路へ供給される。そして、主導水路に供給された洗浄水は、リム部に沿って形成されたリム導水路へ流れ込み、続いてリム導水路を通って、ボウル部へ向けて開口された吐水部から吐水される。
【先行技術文献】
【特許文献】
【０００４】
【特許文献１】特開２０１６−１４２１００号公報
【発明の概要】
【発明が解決しようとする課題】
【０００５】
しかしながら、上記した主導水路の洗浄水は、リム導水路へ流れ込む際、例えばリム導水路の壁面に衝突してから流れ込むため、かかる衝突によって空気を巻き込むことがある。特に、近年においては便器の節水化が進んでおり、効果的に洗浄を行なうために少ない量の洗浄水を勢いよく流す必要があるため、高いエネルギーで衝突してしまうことで、より圧力の高まった空気を巻き込んでしまうことがある。空気を巻き込んだ洗浄水は、吐水部から吐水されるときに空気が破裂して、洗浄水が飛散してしまうことがある。また、強い衝撃によって流れに乱れが生じ、吐水部からの飛散が助長されてしまうことがある。このように、従来技術に係る水洗大便器には、吐水部から吐水される洗浄水の飛散を抑制するという点で改善の余地があった。
【０００６】
実施形態の一態様は、上記に鑑みてなされたものであって、吐水部から吐水される洗浄水の飛散を抑制することができる水洗大便器を提供することを目的とする。
【課題を解決するための手段】
【０００７】
実施形態の一態様に係る水洗大便器は、給水源から供給される洗浄水を流通させる主導水路と、前記主導水路から供給される洗浄水の流れ方向を屈曲させる屈曲導水路と、前記屈曲導水路から供給される洗浄水をボウル部へ向けて開口された吐水部へ流通させて吐水させるリム導水路と、少なくとも前記屈曲導水路に形成されるとともに、上方が開口された凹状に形成され、前記主導水路から供給される洗浄水の一部を滞留させる滞留部とを備え、前記滞留部は、下流側の上端部が前記吐水部の底面と水平または前記吐水部の底面よりも高くなるように形成されることを特徴とする。
【０００８】
これにより、主導水路から屈曲導水路へ供給される洗浄水は、滞留部に滞留された洗浄水によって衝突時の衝撃力が緩和されるため、空気を巻き込みにくくすることができる。よって、吐水部から吐水される際の飛散を抑制することができる。
【０００９】
また、滞留部の上端部は、吐水部の底面よりも高くなるように形成されることが可能となるため、例えば洗浄水は吐水部から斜め下へ向けて吐水されることとなり、よって吐水部から吐水される洗浄水が、上方のユーザ側へ飛散することを抑制することができる。
【００１０】
また、前記リム導水路は、前記屈曲導水路から供給された洗浄水を、流れ方向を屈曲させて前記ボウル部の後方部へ向けて前記吐水部から吐水させることを特徴とする。
【００１１】
このように、リム導水路において流れ方向が変わると、屈曲導水路で生じた空気混入や流れの乱れを整流することなく吐水されることになるため、吐水部からの洗浄水が飛散するおそれがあるが、滞留部を備えることで、リム導水路に対し、空気を比較的巻き込んでおらず、流れが乱れにくい洗浄水を供給することができ、よって吐水部から吐水される際の飛散を抑制することができる。
【００１２】
また、前記屈曲導水路は、前記主導水路から供給される洗浄水の流れ方向を異なる複数の方向に屈曲させることを特徴とする。
【００１３】
このように、屈曲導水路において洗浄水の流れ方向が複数の方向に屈曲させられると、洗浄水が屈曲導水路に衝突して空気を巻き込み易くなるが、滞留部を備えることで、衝突時の衝撃力が緩和され、洗浄水は空気を巻き込みにくくなる。これにより、吐水部から吐水される際の飛散を抑制することができる。
【００１４】
また、前記滞留部は、底面から前記下流側の上端部に向けて上り傾斜となる傾斜面を備えることを特徴とする。
【００１５】
これにより、滞留部に供給される洗浄水は傾斜面に沿って上昇してリム導水路へ流れ出すこととなるため、洗浄水をスムーズに流すことができ、よってリム導水路へ流れ出た後の流れの乱れをより一層生じにくくすることができる。
【００１６】
また、前記滞留部は、前記下流側の上端部が前記リム導水路内に位置するように形成されることを特徴とする。
【００１７】
これにより、滞留部の下流側の上端部がリム導水路内に入り込むこととなる。そのため、滞留部の下流側の上端部からリム導水路へ流れ込む洗浄水において、例えば流路断面積が大きく変化して流れに乱れが生じることを抑制でき、結果として吐水部から吐水される際の飛散を抑制することができる。
【００１８】
また、前記リム導水路は、前記屈曲導水路から供給される洗浄水の入口部が、前記滞留部に滞留している洗浄水の水面よりも下方に位置するように形成されることを特徴とする。
【００１９】
このように、リム導水路の入口部が滞留部の洗浄水の水面よりも下方に位置して水没するようにしたことで、例えば滞留部からリム導水路へ流れる洗浄水が空気に接触しにくくなり、結果として空気の巻き込みを効果的に抑制することができる。また、滞留部からリム導水路へ流れ出た洗浄水は、例えばリム導水路内の空気を吐水部へ押し出しつつ流れるため、空気を巻き込みにくく、よって吐水部から吐水される際の飛散をより一層抑制することができる。また、屈曲導水路から供給される洗浄水により、滞留部に滞留している洗浄水を確実に循環させることもできる。
【００２０】
また、前記主導水路は、底面が上流側から下流側に向けて下り傾斜となるように形成されることを特徴とする。
【００２１】
近年の節水化に伴って主導水路内を流れる洗浄水の流速や流量が減少する傾向にあるが、主導水路は下り傾斜となるように形成されることから、主導水路内を流れる洗浄水の流速を増加させることができる。これにより、吐水部を吐水される洗浄水の速度も増加するため、よってボウル部を効率よく洗浄でき、水洗大便器の洗浄性能を向上させることができる。また、洗浄水が増速すると、屈曲導水路に衝突することで、空気をより多く巻き込んでしまうおそれがあるが、滞留部を備えるため、洗浄水の衝突による衝撃力は緩和され、洗浄水において空気を巻き込みにくくすることができる。これにより、吐水部から吐水される際の飛散を抑制することができる。すなわち、水洗大便器の洗浄性能の向上と、洗浄水の飛散の抑制とを両立させることができる。
【発明の効果】
【００２２】
実施形態の一態様によれば、吐水部から吐水される洗浄水の飛散を抑制することができる。
【図面の簡単な説明】
【００２３】
【図１】図１は、実施形態に係る水洗大便器を示す平面図である。
【図２】図２は、図１のII−II線断面図である。
【図３】図３は、図２のIII−III線断面図である。
【図４】図４は、図３のIV−IV線断面図である。
【図５】図５は、変形例に係る水洗大便器の滞留部を示す断面図である。
【発明を実施するための形態】
【００２４】
以下、添付図面を参照して、本願の開示する水洗大便器の実施形態を詳細に説明する。なお、以下に示す実施形態によりこの発明が限定されるものではない。
【００２５】
＜１．水洗大便器の構成＞
図１は、実施形態に係る水洗大便器を示す平面図であり、図２は図１のII−II線断面図である。なお、図１等では、説明を分かり易くするため、鉛直上向きを正方向とするＺ軸を含む３次元の直交座標系を図示している。かかる直交座標系は、他の図においても図示する場合がある。
【００２６】
また、以下の説明では、直交座標系におけるＸ軸正方向を「右方」、Ｘ軸負方向を「左方」、Ｙ軸正方向を「前方」、Ｙ軸負方向を「後方」、Ｚ軸正方向を「上方」、Ｚ軸負方向を「下方」と記載する場合がある。なお、図１，２および図３以降に示す図は、いずれも模式図である。
【００２７】
図１および図２に示すように、水洗大便器１は、例えば陶器製であり、便器本体２と、貯水タンク３とを備える。
【００２８】
貯水タンク３は、便器本体２の後方上部に設置される。貯水タンク３は、便器本体２のボウル部１０（後述）を洗浄する洗浄水を貯留する。図２に示すように、貯水タンク３の底面には、底面を上下方向に貫通する開口３ａが設けられる。開口３ａには、図示しない開閉弁が取り付けられ、便器洗浄を開始させるための操作部（図示せず）が操作されると、開口３ａを開放して洗浄水を排水させる。なお、貯水タンク３は、給水源の一例であるが、これに限られず、給水源としてフラッシュバルブを用いてもよい。
【００２９】
便器本体２は、ボウル部１０と、導水路２０と、排水トラップ部３０（図２参照）とを備える。なお、図１，２にあっては、図示の簡略化のため、便器本体２が備える便座や便座を覆うカバーなど一部の部材の図示を省略した。
【００３０】
ボウル部１０は、汚物受け面１１と、リム部１２とを備える。汚物受け面１１は、汚物を受けることが可能なボウル状に形成される。リム部１２は、ボウル部１０の上縁を構成するように形成される。
【００３１】
また、リム部１２には、便器洗浄が行われる場合に洗浄水を吐水する第１吐水部２４ａおよび第２吐水部２４ｂが形成される。第１吐水部２４ａは、例えばリム部１２の左方部の中央付近に形成される。第２吐水部２４ｂは、例えばリム部１２の右後方部に形成される。
【００３２】
また、第１、第２吐水部２４ａ，２４ｂはともに、ボウル部１０の汚物受け面１１へ洗浄水を吐水したとき、汚物受け面１１に例えば反時計回りの旋回流（図３参照）を生じさせる向きに開口される。なお、上記した第１、第２吐水部２４ａ，２４ｂが形成される位置や開口の向きは、あくまでも例示であって限定されるものではない。また、以下では、第１吐水部２４ａと第２吐水部２４ｂとを区別しないときに「吐水部２４」と記載する場合がある。
【００３３】
導水路２０は、貯水タンク３の洗浄水をボウル部１０へ導く流路である。なお、導水路２０の詳しい構成については後述する。
【００３４】
図２に示すように、排水トラップ部３０は、入口部３０ａと、上昇管路３０ｂと、下降管路３０ｃとを備える。入口部３０ａは、汚物受け面１１の底部と連続するように設けられ、ボウル部１０からの洗浄水を排水トラップ部３０へ流入させる。上昇管路３０ｂは、入口部３０ａから斜め上方へ向けて延びるように形成される。下降管路３０ｃは、上昇管路３０ｂから下方へ向けて延びるように形成される。
【００３５】
また、下降管路３０ｃの下端には、排水管４０が接続される。したがって、便器洗浄が行われる場合、ボウル部１０の洗浄水は、排水トラップ部３０の入口部３０ａ、上昇管路３０ｂおよび下降管路３０ｃを介して排水管４０へと排水される。
【００３６】
なお、水洗大便器１は、ボウル部１０内の洗浄水の落差による流水作用で汚物を押し流す、所謂洗い落し式である。また、水洗大便器１は、洗い落し式に限定されるものではなく、例えばサイホン作用を利用してボウル部１０内の汚物を引き込んで排水する、所謂サイホン式であってもよい。なお、図１，２では、床置き式の水洗大便器１を示したが、これに限定されるものではなく、壁掛け式であってもよい。
【００３７】
このように、本実施形態に係る水洗大便器１は、リム部１２に設けられた吐水部２４から洗浄水を吐水し、ボウル部１０の汚物受け面１１で旋回流を生じさせることで、ボウル部１０の洗浄を行う。
【００３８】
＜２．導水路の構成＞
次に、上記した導水路２０について図２および図３を参照して詳しく説明する。図３は、図２のIII−III線断面図である。
【００３９】
導水路２０は、洗浄水の流路であり、洗浄水が吐水部２４から吐水される際に飛散することを抑制できるように構成される。具体的に、導水路２０は、主導水路２１と、屈曲導水路２２と、リム導水路２３と、滞留部２５とを備える。
【００４０】
図２に示すように、主導水路２１は、貯水タンク３の下方から便器前方へ向けて形成され、貯水タンク３から供給される洗浄水を流通させる（矢印Ａ参照）。詳しくは、主導水路２１の後部天井面２１ａにおいて、貯水タンク３の開口３ａと対応する位置には、後部天井面２１ａを上下方向に貫通する流入口２１ｂが形成される。流入口２１ｂは、上記した貯水タンク３の開閉弁によって開口３ａが開放されると、貯水タンク３内の洗浄水を主導水路２１内へ流入させる。
【００４１】
また、主導水路２１は、底面２１ｃが上流側から下流側に向けて下り傾斜となるように形成される。近年の節水化に伴って主導水路２１内を流れる洗浄水の流速や流量が減少する傾向にあるが、主導水路２１が下り傾斜であることから、流入口２１ｂから流入して主導水路２１内を流れる洗浄水の流速を増加させることができ、よって水洗大便器１の洗浄性能を向上させることができる。すなわち、主導水路２１で流速が増加させられた洗浄水は、主導水路２１の後流側に設けられる吐水部２４から吐水されたときに、汚物受け面１１全体に十分に行き渡るような旋回流を形成することができる。これにより、汚物受け面１１を効率よく洗浄することができ、よって水洗大便器１の洗浄性能を向上させることができる。
【００４２】
屈曲導水路２２は、主導水路２１の下流側に連続するように形成され、図３に示すように、主導水路２１から供給される洗浄水の流れ方向を屈曲させる。
【００４３】
詳しくは、屈曲導水路２２は、主導水路２１から供給される洗浄水の流れ方向（図３の平面視でＹ軸正方向）を、図３に矢印Ｂａ，Ｂｂで示すように、例えば左右の２方向（図３の平面視でＸ軸正方向およびＸ軸負方向）に屈曲させる。
【００４４】
このように、屈曲導水路２２は、主導水路２１から供給される洗浄水の流れ方向を異なる複数の方向（ここでは左右方向）に屈曲させる。言い換えると、屈曲導水路２２は、主導水路２１から供給される洗浄水の流路を左右方向に分岐させる分岐路である。なお、上記では、屈曲導水路２２は、洗浄水の流れ方向を左右の２方向に屈曲させたが、３方向以上であってもよい。また、屈曲導水路２２には、滞留部２５が形成されるが、これについては後述する。
【００４５】
リム導水路２３は、屈曲導水路２２の下流側に連続するように形成され、屈曲導水路２２から供給される洗浄水を吐水部２４へ流通させて吐水させる。詳しくは、リム導水路２３は、第１リム導水路２３ａと、第２リム導水路２３ｂと、上記した第１、第２吐水部２４ａ，２４ｂとを備える。
【００４６】
第１リム導水路２３ａは、ボウル部１０の後方部から左方部へ向けてリム部１２に沿って形成される。また、第１リム導水路２３ａの下流側の端部には、第１吐水部２４ａが形成される。
【００４７】
第１リム導水路２３ａには、屈曲導水路２２によって流れ方向がボウル部１０の左方部へ屈曲させられた洗浄水が流入して平面視で反時計回りに流れ（矢印Ｃａ参照）、その後第１吐水部２４ａからボウル部１０の汚物受け面１１へ吐水される（矢印Ｄａ参照）。
【００４８】
第２リム導水路２３ｂは、ボウル部１０の後方部にリム部１２に沿って形成される。また、第２リム導水路２３ｂは、流路の途中で洗浄水の流れ方向を屈曲させる屈曲部位２３ｂ１を備える。具体的には、第２リム導水路２３ｂの屈曲部位２３ｂ１は、洗浄水を平面視で時計回りにボウル部１０の周方向へ向けて流通させられた洗浄水の流れ方向を屈曲させて、より具体的にはＵターンさせて、ボウル部１０の後方部へ向ける。また、第２リム導水路２３ｂの下流側の端部には、第２吐水部２４ｂが形成される。
【００４９】
これにより、第２リム導水路２３ｂには、屈曲導水路２２によって流れ方向がボウル部１０の右方部へ屈曲させられた洗浄水が流入して平面視で時計回りに流れた後、屈曲部位２３ｂ１で流れ方向が反転されて反時計回りとなる（矢印Ｃｂ参照）。その後、洗浄水は、第２吐水部２４ｂからボウル部１０の汚物受け面１１へ吐水される（矢印Ｄｂ参照）。
【００５０】
このように、第２リム導水路２３ｂは、屈曲導水路２２から供給された洗浄水を、流れ方向を屈曲させ、ボウル部１０の後方部へ向けて第２吐水部２４ｂから吐水させる。
【００５１】
なお、本明細書において、上記した第１吐水部２４ａは、第１リム導水路２３ａによって閉鎖された空間とそれよりも下流側の開放された空間との境界部分のことを指し、また、第２吐水部２４ｂは、第２リム導水路２３ｂによって閉鎖された空間とそれよりも下流側の開放された空間との境界部分のことを指している。また、本明細書において、主導水路２１は、流入口２１ｂから後述する滞留部２５の後方の上端部２５ａまでを指している。屈曲導水路２２は、滞留部２５の後方の上端部２５ａから第１、第２リム導水路２３ａ，２３ｂの各入口部１２３ａ，１２３ｂ（言い換えると、便器前方へ向け流れていた洗浄水の流れ方向がボウル部１０の周方向へ屈曲する位置）までを指している。また、第１、第２リム導水路２３ａ，２３ｂは、各入口部１２３ａ，１２３ｂから第１、第２吐水部２４ａ，２４ｂまでを指している。
【００５２】
ところで、上記したように、洗浄水が主導水路２１から屈曲導水路２２を介して第１、第２リム導水路２３ａ，２３ｂへ流れる場合、主導水路２１の洗浄水は、屈曲導水路２２や第１、第２リム導水路２３ａ，２３ｂ等の壁面に衝突し、衝突によって圧力の高まった空気を巻き込み易い。洗浄水は、空気を巻き込むと、例えば吐水部２４から吐水される際に空気が破裂して、周辺に飛散してしまうことがある。
【００５３】
そこで、本実施形態にあっては、屈曲導水路２２に滞留部２５を形成することで、上記した洗浄水の飛散を抑制するようにした。以下、滞留部２５について図２〜図４を参照して詳しく説明する。図４は、図３のIV−IV線断面図である。
【００５４】
図２〜図４に示すように、滞留部２５は、屈曲導水路２２の下方に形成され、主導水路２１から供給される洗浄水の一部を滞留させる。以下では、滞留部２５に滞留される洗浄水を「滞留水Ｗ」と記載する場合がある。なお、図２〜図４では、滞留水Ｗをドットで示している。
【００５５】
具体的には、滞留部２５は、例えば上方が開口された凹状に形成され、上端側で主導水路２１の底面２１ｃおよび第１、第２リム導水路２３ａ，２３ｂの底面２３ａ２，２３ｂ２に接続される。詳しくは、滞留部２５の後方の上端部２５ａ（図２参照）が主導水路２１の底面２１ｃに、左方の上端部２５ｂａ（図４参照）が第１リム導水路２３ａ底面２３ａ２に、右方の上端部２５ｂｂ（図４参照）が第２リム導水路２３ｂ底面２３ｂ２に接続される。したがって、上端部２５ａが洗浄水の流れ方向において上流側となり、上端部２５ｂａ，２５ｂｂが下流側となる。
【００５６】
図４に示すように、滞留部２５は、下流側の上端部２５ｂａが第１吐水部２４ａの底面２４ａ１よりも高くなるように形成されるとともに、下流側の上端部２５ｂｂが第２吐水部２４ｂの底面２４ｂ１よりも高くなるように形成される。言い換えると、滞留部２５の上端部２５ｂａ，２５ｂｂから第１、第２吐水部２４ａ，２４ｂの底面２４ａ１，２４ｂ１までがともに、下り傾斜となるように形成される。なお、図４では、滞留部２５の上端部２５ｂａ，２５ｂｂと、第１、第２吐水部２４ａ，２４ｂの底面２４ａ１，２４ｂ１との高さ関係を理解し易くするため、第１、第２吐水部２４ａ，２４ｂの底面２４ａ１，２４ｂ１を想像線で示した。
【００５７】
したがって、便器洗浄前の導水路２０においては、滞留部２５にのみ滞留水Ｗが滞留した状態となる。すなわち、例えば便器洗浄によって洗浄水は、第１、第２リム導水路２３ａ，２３ｂを流れて第１、第２吐水部２４ａ，２４ｂから吐水される。そして、例えば便器洗浄の完了後に、洗浄水が第１、第２リム導水路２３ａ，２３ｂに残留した場合であっても、残留した洗浄水は、上記した高さ関係により、第１、第２吐水部２４ａ，２４ｂへ向かって流れてボウル部１０へ排出されることとなる。
【００５８】
そのため、便器洗浄の完了後で、かつ次回の便器洗浄前の導水路２０においては、滞留部２５にのみ滞留水Ｗが滞留する一方、第１リム導水路２３ａや第２リム導水路２３ｂには洗浄水は滞留しない状態となる。
【００５９】
なお、上端部２５ｂａ，２５ｂｂと底面２４ａ１，２４ｂ１との高さ関係は、上記に限られず、例えば滞留部２５の上端部２５ｂａ，２５ｂｂは、第１、第２吐水部２４ａ，２４ｂの底面２４ａ１，２４ｂ１と水平または略水平になるように形成されてもよい。
【００６０】
上記したように、滞留部２５に滞留水Ｗがあることで、便器洗浄時に洗浄水が空気を巻き込みにくくなり、吐水部２４から吐水される洗浄水の飛散を抑制することができる。詳しくは、便器洗浄の際、主導水路２１に洗浄水が供給されると、主導水路２１の洗浄水は、滞留部２５へ流れ込んで衝突する。
【００６１】
このとき、洗浄水は、図４に矢印Ｂａ，Ｂｂに示すように、滞留部２５の滞留水Ｗに衝突する。そのため、洗浄水にあっては、例えば屈曲導水路２２等の壁面などに直接衝突する場合に比べ、衝撃力が滞留部２５の滞留水Ｗによって緩和されることとなり、圧力の高まった空気を巻き込みにくくなる。すなわち、滞留部２５は、洗浄水に対するバッファ部として機能する。
【００６２】
そして、圧力の高まった空気を比較的巻き込んでいない洗浄水は、吐水時の空気の破裂も招きにくく、また矢印Ｃａ，Ｃｂに示すように、第１リム導水路２３ａや第２リム導水路２３ｂへ流れ出した後も流れが乱れにくいため、よって第１、第２吐水部２４ａ，２４ｂから吐水される際の飛散を抑制することができる。
【００６３】
また、上記したように、滞留部２５の上端部２５ｂａ，２５ｂｂは、第１、第２吐水部２４ａ，２４ｂの底面２４ａ１，２４ｂ１よりも高くなるように形成されるため、洗浄水は第１、第２吐水部２４ａ，２４ｂから斜め下へ向けて吐水されることとなる（図４の矢印Ｄａ，Ｄｂ参照）。これにより、第１、第２吐水部２４ａ，２４ｂから吐水される洗浄水が、上方のユーザ側へ飛散することを抑制することができる。
【００６４】
また、滞留部２５の下流側の上端部２５ｂａ，２５ｂｂが第１、第２吐水部２４ａ，２４ｂの底面２４ａ１，２４ｂ１と水平または底面２４ａ１，２４ｂ１よりも高くなるように形成されることから、吐水の際に洗浄水の流れに対して乱れを生じさせにくくすることができる。すなわち、例えば仮に、滞留部２５の上端部２５ｂａ，２５ｂｂから第１、第２吐水部２４ａ，２４ｂの底面２４ａ１，２４ｂ１までの間に、前回の吐水の洗浄水が残留していると、今回の吐水の洗浄水が残留している洗浄水を巻き込んで流れに乱れが生じ易い。
【００６５】
これに対し、本実施形態にあっては、滞留部２５の上端部２５ｂａ，２５ｂｂと第１、第２吐水部２４ａ，２４ｂの底面２４ａ１，２４ｂ１との高さ関係を上記のように構成したため、滞留部２５の上端部２５ｂａ，２５ｂｂから第１、第２吐水部２４ａ，２４ｂの底面２４ａ１，２４ｂ１までの間に洗浄水は残留せず、結果として吐水の際に洗浄水の流れに対して乱れを生じさせにくくすることができる。
【００６６】
さらに、滞留部２５は、傾斜面２５ｃを備える。傾斜面２５ｃは、滞留部２５の底面２５ｄから連続して第１リム導水路２３ａ側へ向かう面と、底面２５ｄから連続して第２リム導水路２３ｂ側へ向かう面とを含む。そして、傾斜面２５ｃは、滞留部２５の底面２５ｄから下流側の上端部２５ｂａ，２５ｂｂに向けて上り傾斜となるように形成される。
【００６７】
これにより、便器洗浄時に主導水路２１から供給される洗浄水は、滞留部２５に流れ込んで滞留水Ｗと混合された後、傾斜面２５ｃに沿って徐々に上昇して第１リム導水路２３ａや第２リム導水路２３ｂへ流れ出すこととなる。これにより、例えば滞留部２５の傾斜面２５ｃが垂直な面であった場合に比べ、洗浄水の圧力損失を小さくしてスムーズに流すことができ、よって第１、第２リム導水路２３ａ，２３ｂへ流れ出た後の流れの乱れをより一層生じにくくすることができる。
【００６８】
また、第２リム導水路２３ｂは、流路の長さが第１リム導水路２３ａに比べて短く、また上記したように屈曲部位２３ｂ１（図３参照）によって流れ方向が変わることから、屈曲導水路２２で生じた空気混入や流れの乱れを整流することなく吐水されることになるため、第２吐水部２４ｂから吐水される洗浄水が飛散するおそれがある。しかしながら、本実施形態にあっては、第２リム導水路２３ｂに対し、空気を比較的巻き込んでおらず、流れが乱れにくい洗浄水が供給されることから、第２吐水部２４ｂから吐水される際の飛散を抑制することができる。
【００６９】
また、屈曲導水路２２は、上記したように主導水路２１から供給される洗浄水の流れ方向を左右方向に屈曲させるため、主導水路２１の洗浄水が衝突して空気を巻き込むおそれがある。しかしながら、本実施形態にあっては、滞留部２５を備えるため、洗浄水の衝突による衝撃力は滞留部２５の滞留水Ｗによって緩和され、洗浄水は空気を巻き込みにくくなる。これにより、第１、第２吐水部２４ａ，２４ｂから吐水される際の飛散を抑制することができる。
【００７０】
また、滞留部２５は、下流側の上端部２５ｂａ，２５ｂｂが第１、第２リム導水路２３ａ，２３ｂ内に位置するように形成される。すなわち、滞留部２５は、下流側の上端部２５ｂａ，２５ｂｂが第１、第２リム導水路２３ａ，２３ｂ内に入り込むように形成される。
【００７１】
これにより、滞留部２５の下流側の上端部２５ｂａ，２５ｂｂから第１、第２リム導水路２３ａ，２３ｂへ流れ込む洗浄水において、流路断面積が大きく変化して流れに乱れが生じることを抑制でき、結果として第１、第２吐水部２４ａ，２４ｂから吐水される際の飛散を抑制することができる。
【００７２】
また、主導水路２１は、上記したように下り傾斜となるように形成されるため、主導水路２１内を流れる洗浄水の流速は増加する。これにより、水洗大便器１の洗浄性能を向上させることができるが、増速された洗浄水が屈曲導水路２２に衝突することで、空気をより多く巻き込んでしまうおそれがある。しかしながら、本実施形態にあっては、滞留部２５を備えるため、増速された場合であっても、洗浄水の衝突による衝撃力は滞留部２５の滞留水Ｗによって緩和され、洗浄水は空気を巻き込みにくくなる。これにより、第１、第２吐水部２４ａ，２４ｂから吐水される際の飛散を抑制することができる。すなわち、本実施形態にあっては、水洗大便器１の洗浄性能の向上と、洗浄水の飛散の抑制とを両立させることができる。
【００７３】
上述してきたように、実施形態に係る水洗大便器は、主導水路２１と、屈曲導水路２２と、リム導水路２３と、滞留部２５とを備える。主導水路２１は、貯水タンク３（給水源の一例）から供給される洗浄水を流通させる。屈曲導水路２２は、主導水路２１から供給される洗浄水の流れ方向を屈曲させる。リム導水路２３は、屈曲導水路２２から供給される洗浄水をボウル部１０へ向けて開口された吐水部２４へ流通させて吐水させる。滞留部２５は、少なくとも屈曲導水路２２に形成されるとともに、上方が開口された凹状に形成され、主導水路２１から供給される洗浄水の一部を滞留させる。また、滞留部２５は、下流側の上端部２５ｂａ，２５ｂｂが吐水部２４の底面２４ａ１，２４ｂ１と水平または吐水部２４の底面２４ａ１，２４ｂ１よりも高くなるように形成される。これにより、本実施形態にあっては、吐水部２４から吐水される洗浄水の飛散を抑制することができる。
【００７４】
＜３．変形例＞
次に、変形例に係る水洗大便器１について説明する。図５は、変形例に係る滞留部２５およびリム導水路２３を示す、図４と同様な断面図である。
【００７５】
図５に示すように、変形例に係る第１、第２リム導水路２３ａ，２３ｂは、それぞれの入口部１２３ａ，１２３ｂが、滞留部２５に滞留している洗浄水Ｗの水面ＷＬよりも下方に位置するように形成される。詳しくは、第１、第２リム導水路２３ａ，２３ｂの入口部１２３ａ，１２３ｂの上端部１２３ａ１，１２３ｂ１が洗浄水Ｗの水面ＷＬよりも下方に位置され、入口部１２３ａ，１２３ｂ全体が水没するようにした。
【００７６】
したがって、変形例にあっては、例えば滞留部２５から第１、第２リム導水路２３ａ，２３ｂへ流れる洗浄水が空気に接触しにくくなり、結果として空気の巻き込みを効果的に抑制することができる。
【００７７】
また、滞留部２５から第１、第２リム導水路２３ａ，２３ｂへ流れ出た洗浄水は、例えば第１、第２リム導水路２３ａ，２３ｂ内の空気Ｅを吐水部２４へ押し出しつつ流れることとなるため、空気を巻き込みにくく、よって吐水部２４から吐水される際の飛散をより一層抑制することができる。さらに、屈曲導水路から供給される洗浄水により、滞留部に滞留している洗浄水を確実に循環させることもできる。
【００７８】
なお、上記した実施形態において、リム導水路２３は、第１リム導水路２３ａおよび第２リム導水路２３ｂを備えるようにしたが、これに限定されるものではなく、いずれか一方のみを備えるようにしてもよい。
【００７９】
したがって、リム導水路２３が第１リム導水路２３ａのみを備える場合、屈曲導水路２２は主導水路２１から供給される洗浄水の流れ方向を第１リム導水路２３ａ方向の一方向にのみ屈曲させることとなる。他方、リム導水路２３が第２リム導水路２３ｂのみを備える場合、屈曲導水路２２は主導水路２１から供給される洗浄水の流れ方向を第２リム導水路２３ｂ方向の一方向にのみ屈曲させることとなる。このように、屈曲導水路２２が洗浄水の流れ方向を一方向にのみ屈曲させる場合であっても、滞留部２５を備えることで、洗浄水の飛散を抑制することができる。
【００８０】
また、上記した滞留部２５にあっては、傾斜面２５ｃが第１リム導水路２３ａ側および第２リム導水路２３ｂ側の両方に形成されるようにしたが、いずれか一方に形成されるようにしてもよい。
【００８１】
なお、図示は省略するが、滞留部２５に加えてまたは代えて、第２リム導水路２３ｂの屈曲部位２３ｂ１に滞留部２５と同様な滞留部を設けるようにしてもよい。屈曲部位２３ｂ１に設けられた滞留部により、第２リム導水路２３ｂの洗浄水が屈曲部位２３ｂ１を流れる際に圧力の高まった空気を巻き込んで吐水時に空気が破裂したり、流れが乱れたりすることを抑制でき、よって第２吐水部２４ｂから吐水される際の飛散を抑制することができる。
【００８２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８３】
１    水洗大便器
２    便器本体
３    貯水タンク
１０    ボウル部
１２    リム部
２０    導水路
２１    主導水路
２２    屈曲導水路
２３    リム導水路
２３ａ  第１リム導水路
２３ｂ  第２リム導水路
２４    吐水部
２４ａ  第１吐水部
２４ｂ  第２吐水部
２５    滞留部
２５ｃ  傾斜面
【図１】
2018112005.tif 000003
【図２】
2018112005.tif 000004
【図３】
2018112005.tif 000005
【図４】
2018112005.tif 000006
【図５】
2018112005.tif 000007